(57)【特許請求の範囲】
【請求項１】
観察する側から、
ホログラム加工されたコレステリック液晶層と、
コレステリック液晶を含有したインクによる第１の表示および通常インクによる第２の表示を組み合わせた図柄を示すインク表示層と
が配置された構造を備え、
所定の角度から前記インク表示層を単独で見た場合に、前記第１の表示と前記第２の表示とが同色に見えるように設定されており、
正面から前記コレステリック液晶層を単独で見た場合に観察される前記コレステリック液晶層からの反射光の色と、正面から前記インク表示層を単独で見た場合に観察される前記第１の表示の色とが異なる色に見えるように設定されていることを特徴とする識別媒体。
【請求項２】
光吸収層をさらに備え、この光吸収層は、感熱変化インクによって構成されていることを特徴とする請求項１に記載の識別媒体。
【請求項３】
前記請求項１または２のいずれかに記載の識別媒体を備えたことを特徴とする識別媒体を備えた物品。
【請求項４】
前記請求項１または２のいずれかに記載の識別媒体を所定の旋回方向の円偏光を選択的に透過する偏光フィルタを介して観察する第１観察ステップと、
前記偏光フィルタを用いずに前記識別媒体の観察を行う第２観察ステップと
を備えることを特徴とする識別方法。
【発明の詳細な説明】
【技術分野】
【０００１】
本発明は、視覚的な効果により物品の真贋性（真正性）を識別することが可能な識別媒体に関する。
【背景技術】
【０００２】
日用品、衣料品、身分証明書、音楽ソフト、サプライ品、交換部品等において、見た目を本物に似せて製造した偽物が市場に出回り問題となっている。このような状況において、安全性やブランド力の維持のために、物品の真贋性を識別することができる技術が求められている。
【０００３】
物品の真贋性を識別する技術として、識別対象の物品に特殊なインクを用いて印刷を行う方法が知られている。また、特殊な光学反射特性を有する小片を物品に貼り付ける方法が知られている。特殊なインクを印刷する方法は、紫外線に対して蛍光するインクを用いて、所定の文字や図柄を印刷し、紫外線を照射した際にその図柄や文字を浮かび上がらせることで、真贋性を確認する方法である。また、磁性体の粒子や磁性を帯びた粒子を混ぜたインクを塗布し、磁気センサで真贋性を識別する方法も知られている。また、光学反射特性を有する小片としては、コレステリック液晶が示す光学特性を利用したものが知られている。この技術に関しては、例えば特許文献１や特許文献２に示されている。またホログラム機能を有するシールも知られている。
【０００４】
【特許文献１】特開昭６３−５１１９３号公報
【特許文献２】特開平４−１４４７９６号公報
【発明の開示】
【発明が解決しようとする課題】
【０００５】
特殊なインクやコレステリック液晶を用いた識別媒体は、それ自体を入手され識別媒体を偽造される危険性がある。特に最近は、偽造技術のレベルが高くなってきており、単に特殊なインクやコレステリック液晶を用いただけでは、真贋判定機能を確保することが困難になる可能性が懸念される。このことは、ホログラムを用いた識別媒体にも同様にいえる。そこで本発明は、偽造が困難であり、さらに真贋判定機能の高い識別手段を提供することを目的とする。
【課題を解決するための手段】
【０００６】
本発明の識別媒体は、観察する側から、ホログラム加工されたコレステリック液晶層と、コレステリック液晶を含有したインクによる第１の表示および通常インクによる第２の表示を組み合わせた図柄を示すインク表示層とが配置された構造を備え、所定の角度から前記インク表示層を単独で見た場合に、前記第１の表示と前記第２の表示とが同色に見えるように設定されており、正面から前記コレステリック液晶層を単独で見た場合に観察される前記コレステリック液晶層からの反射光の色と、正面から前記インク表示層を単独で見た場合に観察される前記第１の表示の色とが異なる色に見えるように設定されていることを特徴とする。
【０００７】
第１の表示部分は、コレステリック液晶を含有したインクの塗布や印刷によって形成される。第２の表示部分は、通常のインクの塗布や印刷によって形成される。通常、第１の表示部分と第２の表示部分とが組み合わさって図柄が形成される。例えば、第１の表示部分で文字を構成し、第２の表示部分を背景とするデザインを挙げることができる。
【０００８】
ホログラム加工されたコレステリック液晶層は、コレステリック液晶層に微細な凹凸を型押しにより形成したもので、ホログラム効果により、所定の図柄が浮かび上がる構造を備えている。以下、コレステリック液晶層について説明する。図１は、コレステリック液晶層の構造を示す概念図であり、図２は、コレステリック液晶層が有する光学的な性質を説明する概念図である。図２には、自然光を入射させると、特定波長の右回り円偏光が反射され、左回り円偏光および直線偏光、さらにその他の波長の右回り円偏光がコレステリック液晶層２０１を透過する様子が示されている。
【０００９】
コレステリック液晶層は、層状構造を有している。そして、一つの層に着目した場合、層中において液晶分子の分子長軸はその向きが揃っており、かつ層の面に平行に配向している。そして配向の方向は、隣接する層において少しずつずれており、全体としては立体的なスパイラル状に配向が回転しつつ各層が積み重なった構造を有している。この構造において、層に垂直な方向で考えて、分子長軸が３６０°回転して元に戻るまでの距離をピッチＰ、各層内の平均屈折率をｎとする。この場合、コレステリック液晶層は、λｓ＝ｎ×Ｐを満たす、中心波長λｓで特定旋回方向の円偏光を選択的に反射する性質を示す。すなわち、白色光をコレステリック液晶層に入射させると、特定の波長を中心波長とする右回りまたは左回り円偏光を選択的に反射する。この場合、反射した円偏光と同じ旋回方向を有するが波長がλｓでない円偏光、反射した円偏光と逆旋回方向の円偏光、さらに直線偏光の成分は、コレステリック液晶層を透過する。
【００１０】
反射する円偏光の旋回方向（回転方向）は、コレステリック液晶層のスパイラル方向を選択することで決めることができる。つまり、光の入射方向から見て、右ネジの向きに螺旋を描いて各層における分子長軸が配向しているか、左ネジの向きに螺旋を描いて各層における分子長軸が配向しているか、を選択することで、反射する円偏光の旋回方向（回転方向）を決めることができる。
【００１１】
また、コレステリック液晶は視野角によって色が変わるカラーシフトと呼ばれる光学的な性質を示す。これは、視野角が大きくなると、ピッチＰが見かけ上減少することから、中心波長λｓが短波長側へ移行するためである。たとえば、垂直方向から観察して赤色に呈色するコレステリック液晶の反射色は、視野角を大きくするに従いオレンジ色、黄色、緑色、青緑色、青色と順次変化するように観察される。なお、視野角は、視線と識別媒体表面の垂線とのなす角度として定義される。ホログラム加工されたコレステリック液晶層においては、ホログラムの図柄が、これらのコレステリック液晶層の基本的な光学特性を伴った状態で観察される。
【００１２】
コレステリック液晶を含有したインクというのは、図１に示すようなコレステリック液晶層を鱗片状に細かくしたものを通常インクのビヒクル中に分散したものをいう。通常インクというのは、印刷等に用いることを目的としたインクのことをいう。コレステリック液晶を含有したインクは、印刷や塗布によってインク層を基材表面上に形成すると、鱗片状のコレステリック液晶が層状に分布し、インク層でありながらコレステリック液晶層としての機能を発現させることができる。このコレステリック液晶を含有したインクを用いると、コレステリック液晶層の機能を発現する層を印刷することができる。コレステリック液晶を含んだインクとしては、上述した構造を有するコレステリック高分子液晶顔料を市販のインクバインダー中に分散させたものを利用することができる。このような用途で利用可能なコレステリック高分子液晶顔料としては、ワッカーケミー社製のものが知られている。
【００１３】
本発明を利用すると、例えば、セパレータ（離型紙）、黒色粘着層（光吸収層）、インク表示層、コレステリック液晶層と順に積層された識別媒体が提供される。この識別媒体は、セパレータを剥がし、露出した粘着層を利用して、識別対象となる適当な物品に貼り付けることができる。この識別媒体をコレステリック液晶側から観察すると、コレステリック液晶層の示す光学特性とインク層が示す光学特性が相乗的に作用し、識別性の高い特異な見え方を観察することができる。
【００１４】
また、この識別媒体を所定の旋回方向の円偏光を選択的に透過する偏光フィルタを介して観察すると、更に特異な光学的な性質を観察することができる。例えば、コレステリック液晶層と、インク層の第１の表示を構成するインク中のコレステリック液晶とが右回りの円偏光を選択的に反射する性質のものであるとする。この場合、右回りの円偏光を選択的に透過する偏光フィルタを介して、識別媒体を観察すると、やや明度は落ちるが、肉眼で観察した場合と同様の観察結果を得ることができる。そして、左回りの円偏光を選択的に透過する偏光フィルタを介して、識別媒体を観察すると、コレステリック液晶層およびインク層の第１の表示からの右回り円偏光の反射が偏光フィルタによって遮断されてしまうので、コレステリック液晶層のホログラムと第１の表示は見えない（あるいは見ることが困難となる）。この際、インク層の第２の表示は、通常のインクによるものであるから、その反射光は観察することができる。したがって、インク層の第１の表示が黒く抜けた状態の図柄を観察することができる。このように、偏光フィルタを使用することで、更に特異な光学的な性質を得ることができる。このような特異な見え方は、識別性を高く維持する上において有用なものとなる。
【００１５】
本発明の識別媒体において、光吸収層をさらに備え、この光吸収層を感熱変化インクによって構成することは好ましい。感熱変化インクは、加熱あるいは冷却すると、発色が変化するインクのことである。例えば、本発明において、常温では黒であるが、加熱すると他の色や透明になるインクを用いて光吸収層を構成する。この場合、上述した光学特性に加えて、加熱すると、光吸収層の機能が失われ、ホログラムやインク層の図柄の見え方が変化する。これにより、さらに複雑な見え方をする識別機能を得ることができる。
【００１６】
本発明は、上述した識別媒体を備えた物品として把握することもできる。物品としては、パスポート、証書、重要書類、カード類、商品券、衣料品、日用品、記憶媒体、電化製品、機械部品、電子部品、その他各種製品等を挙げることができる。また、これら物品のパッケージや包装材料を物品として把握することもできる。また、本発明の識別媒体を利用して、商品に取り付けられるタグや値札を構成することもできる。
【００１７】
また、識別媒体を識別する方法を以下のように把握することもできる。すなわち、上記識別媒体を所定の旋回方向の円偏光を選択的に透過する偏光フィルタを介して観察する第１観察ステップと、前記偏光フィルタを用いずに前記識別媒体の観察を行う第２観察ステップとを備えることを特徴とする識別方法として把握することができる。
【００１８】
ここで、第１観察ステップと第２観察ステップとは、順序が逆であってもよい。また、第２観察ステップにおける観察は、第１観察ステップで用いる偏光フィルタ以外の偏光フィルタを用いてもよい。もちろん、第２観察ステップにおける観察を偏光フィルタ無しで行ってもよい。また、観察は、カメラや光学センサを用いて行っても良い。また、観察は、必ずしも画像認識でなくもよい。例えば、色の検出やスペクトルの評価といった方法を観察手法として採用することもできる。
【００１９】
また、上述した識別方法を行う際に利用するハードウェアとして、上記識別媒体を所定の旋回方向の円偏光を選択的に透過する偏光フィルタを介して観察する第１観察手段と、前記偏光フィルタを用いずに前記識別媒体の観察を行う第２観察手段とを備えた識別判別装置を考えることもできる。
【００２０】
本発明の識別媒体において、インク表示層における図柄として、バーコードを採用することもできる。この場合、通常は、バーコードが読み取り困難であり、特定の条件においてバーコードを読み取ることができるような識別媒体を得ることができる。
【発明の効果】
【００２１】
本発明によれば、偽造が困難であり、さらに真贋判定機能の高い識別手段を得ることができる。すなわち、本発明によれば、コレステリック液晶層が示す識別性と、通常のインクとコレステリック液晶含有インクとを用いた図柄の識別性との相乗効果を得ることができる。この相乗効果により、特異な見え方をする高い識別性を備えた識別媒体を得ることができる。また、この相乗効果による複雑な見え方は、再現することが容易ではないので、偽造を困難なものとすることができる。したがって、真贋判定機能が高く、偽造が困難な識別手段を提供することができる。
【図面の簡単な説明】
【００２２】
【図１】コレステリック液晶層が示す光学特性を説明するための概念図である。
【図２】コレステリック液晶層が示す光学特性を説明するための概念図である。
【図３】識別媒体の概要を示す断面図である。
【図４】識別媒体の視覚効果を説明する概念図である。
【図５】識別媒体の視覚効果を説明する概念図である。
【図６】識別媒体の視覚効果を説明する概念図である。
【図７】識別媒体の概要を示す断面図である。
【図８】識別媒体の真贋判定を行う装置の一例を示す概念図である。
【符号の説明】
【００２３】
１００…識別媒体、１０１…セパレータ、１０２…粘着層（または感熱接着層）、１０３…インク表示層、１０４…コレステリック液晶を含んだ印刷層、１０５…通常インクによる印刷層、１０６…コレステリック液晶層、１０７…ホログラム、１０８…透明保護層、１０９…インク表示層によって形成された図柄、１１０…識別媒体を貼り付ける物品の表面に印刷された表示、２０１…コレステリック液晶層、７０１…識別媒体、７０２…多層薄膜、７０３…多層薄膜に形成されたホログラム、８０１…真贋判定装置、８０２…ステージ、８０３…真贋判定対象物品、８０４…可視光照射装置、８０５…カメラ、８０６…偏光フィルタ、８０７…判定部、８０８…メモリ、８０９…出力部。
【発明を実施するための最良の形態】
【００２４】
図３は、識別媒体の断面構造を示す断面図である。図３に示す識別媒体１００は、セパレータ（離型紙）１０１上に貼り付いた構造を有し、粘着層１０２、インク表示層１０３、コレステリック液晶層１０６、および透明保護層１０８を備えている。
【００２５】
セパレータ（離型紙）１０１は、粘着層１０２の粘着面を保護し、必要に応じて粘着面から剥がすことができる。識別媒体１００を任意の物品に貼り付ける場合、このセパレータ１０１を剥がし、粘着面を物品に押し当てる。粘着層１０２は、識別媒体１００を適当な物品の表面に固定する機能を有する。また、粘着層１０２には、黒の顔料や染料が分散されており、可視光を吸収する光吸収層としても機能する。
【００２６】
インク表示層１０３は、コレステリック液晶を含有したインクによる印刷層１０４と、通常インクによる印刷層１０５とを部分的に使い分けた構造を有している。この印刷層１０４と１０５の組合せにより、任意の図柄が形成されている。この例においては、印刷層１０５によって所定の文字図柄（後述する図４（Ｂ）の符号１０９で示されるロゴデザイン）が形成される。また、インク表示層１０３として、２層構造を採用することもできる。この場合、粘着層１０２上にコレステリック液晶を含有したインクによる印刷層１０４が一面ベタに形成され、その上に通常インクによって印刷された符号１０９によって示される所定図柄の通常インク印刷層が設けられた２層構造となる。この場合も同様な識別機能を得ることができる。
【００２７】
この例においては、印刷層１０４を印刷するインクとして、正面から見た場合に、印刷層１０４に含まれるコレステリック液晶からの反射光が、緑色に見えるものを選択する。また、印刷層１０４からの反射光が右回り円偏光になる材料を選択する。また、印刷層１０５のインクは、正面から見た場合に、印刷層１０４と同じ色（この場合は緑）に見えるものを選択する。
【００２８】
コレステリック液層層１０６も正面から見た場合に、緑色に見えるように配向状態を設定する。また、コレステリック液晶層１０６は、印刷層１０４に含まれるコレステリック液晶と同様に右回り円偏光を選択的に反射するように設定する。コレステリック液晶層１０６には、ホログラム１０７を形成するためのエンボス加工（凹凸加工）が施されている。このホログラム１０７によって、所定の図柄を認識できるようになっている。
【００２９】
透明保護層１０８は、透明樹脂フィルムであり、この例では、ＴＡＣ（トリアセチルセルロース）フィルムを採用している。透明保護層１０８は、透過する光の偏光状態に影響を与えない、あるいは透過する光の偏光状態への影響が少ない材質であることが好ましい。
【００３０】
以下、図３に示す識別媒体１００の表示内容の一例を説明する。図４は、識別媒体１００の見え具合を説明する概念図である。図４（Ａ）は、識別媒体１００を正面から観察した状態を示し、図４（Ｂ）は、識別媒体を傾けて観察した状態を示し、図４（Ｃ）は、偏光フィルタを介して識別媒体１００を観察した状態を示す。
【００３１】
この例においては、正面（視野角０°）から見た場合に、インク表示層１０３は、全面が緑に見える。したがって、正面から見た場合、印刷層１０４と１０５とは区別し難く、インク表示層１０３に形成された表示が認識し難い。このような理由により、識別媒体１００を正面から見た場合、ホログラム１０７による図柄が優先的に見える。この状態の一例が図４（Ａ）に示されている。図４（Ａ）には、ホログラム１０７として星の図柄が形成されている場合の例が示されている。この場合、ホログラム１０７は、金属光沢の緑色に見える。すなわち、識別媒体１００を正面（視野角０°）から見た場合、インク表示層１０３は全面緑であるので、インク表示層１０３の表示は認識し難く、そのためホログラム１０７しか認識することはできない（図４（Ａ）の状態）。
【００３２】
次に、識別媒体１００を傾けて観察した場合を説明する。この場合、視野角は３０°や４５°といった角度になる。したがって、印刷層１０４に含有されているコレステリック液晶がカラーシフトを示す。このため、印刷層１０４の色合いが緑から青っぽい色合いに変化する。そして、このカラーシフトする背景の中に、印刷層１０５によって構成される緑の図柄が浮かび上がって見えてくる。図４（Ｂ）には、印刷層１０５によって「ＡＢＣ」と表示される緑色の図柄（ロゴ）１０９が形成されている場合の例が示されている。
【００３３】
また、この場合は、図柄１０９と同時にホログラム１０７も観察することができる。したがって、識別媒体１００を正面から見た状態から識別媒体１００を徐々に傾けてゆくと、最初はホログラム１０７しか見えなかったものが、徐々に図柄１０９が浮かび上がってくる見え方となる。この際、視野角の変化に伴いコレステリック液晶層１０６もカラーシフトを示し、さらにホログラム１０７の反射・屈折状態も変化するので、図柄１０９の浮かび上がり効果と同時に、既に見えているホログラムの光沢感の変化を観察することができる。このように、識別媒体を傾けてゆくと、既に表示されていた図柄の見え方が変化すると共に、隠れていた表示が独特の色合いの変化を示しながら現れてくる。こうして、特異な見え方をする光学機能を得ることができる。
【００３４】
また、偏光フィルタを用いた観察を行うと、更に別の光学機能を得ることができる。例えば、左回り円偏光を選択的に透過し、右回り円偏光を透過しない偏光フィルタ（ビューア）を介して、識別媒体１００を観察する。この場合、ホログラム１０７が観察し難くなり、黒（あるいは暗色）の背景色の中に、通常インクによる印刷層１０５の図柄が緑色に浮かび上がって見えてくる。すなわち、上記の偏光フィルタを介して、識別媒体１００を観察すると、コレステリック液晶層１０６から選択的に反射されてくる右回り円偏光は、この偏光フィルタによって遮断されるので、ホログラム１０６はほとんど見えなくなる。また、印刷層１０４に含まれるコレステリック液晶からの右回り円偏光も上記の偏光フィルタによって遮断される。他方において、通常インクによる印刷層１０５からの緑の反射光は、減衰されるとはいえ、上記の偏光フィルタを一部透過するので、その反射光は認識することができる。したがって、黒色の背景中に図柄１０９が緑色に観察される。こうして、左回り円偏光を選択的に透過し、右回り円偏光を透過しない偏光フィルタ（ビューア）を介して、識別媒体１００を観察すると、星形の図柄を表示するホログラム１０７が見えず（または見えにくく）、通常インクによる印刷であるインク表示層１０３の図柄１０９を選択的に見ることができる（図４（Ｃ））。
【００３５】
以下、図３に示す識別媒体１００の製造方法の一例を説明する。最初にコレステリック液晶層１０６の形成方法を説明する。まず低分子コレステリック液晶を重合性モノマー中に溶解させ、さらに温度条件を制御することにより、コレステリック液晶成分を成長させる。その後、光反応または熱反応などで低分子液晶を架橋して分子配向を固定するとともに高分子化し、コレステリック液晶の原液を得る。この原液を基材となる透明保護層（厚さ４０μｍのＴＡＣフィルム）１０８の片面に所定の厚さになるように塗布し、コレステリック配向および分子配向の固定を行なう。この際、コレステリック液晶分子の積層方向に沿った捻れのピッチＰが一様で、積層された厚さが１μｍになるようにする。コレステリック液晶層の厚さは、０．５μｍ〜５．０μｍ程度の範囲から選択するのが適当である。本実施例では、右回りの円偏光を選択的に反射し、同時に視野角０°の時に緑色に見えるように、液晶分子の捻れの向きとピッチＰとを調整する。こうして、透明保護層１０８の一方の面にコレステリック液晶層１０６を形成した状態を得る。
【００３６】
コレステリック液晶の原液を得る方法としては、側鎖型または主鎖型のサーモトロピック高分子液晶をその液晶転移点以上に加熱してコレステリック液晶構造を成長させた後、液晶転移点以下の温度に冷却して分子配向を固定する方法でもよい。また、側鎖型または主鎖型のリオトロピック高分子液晶を溶媒中でコレステリック配向させた後、溶媒を徐々に揮発させて分子配向を固定する方法でもよい。
【００３７】
これらの原料としては、側鎖に液晶形成基を有するポリアクリレート、ポリメタクリレート、ポリシロキサン、ポリマロネートなどの側鎖型ポリマーや、主鎖に液晶形成基を有するポリエステル、ポリエステアミド、ポリカーボネート、ポリアミド、ポリイミドなどの主鎖型ポリマーを挙げることができる。
【００３８】
次に、コレステリック液晶層１０６に対して、型押し加工を行い、ホログラム１０７を形成する。この工程においては、コレステリック液晶層１０６の層構造に対して、微細な凹凸構造が付与され、ホログラム１０７が形成される。次にコレステリック液晶層１０６の露出した表面に、インク表示層１０３を印刷により形成する。ここでは、コレステリック液晶含有インクを用いた印刷により印刷層１０４を形成し、通常インクを用いた印刷により印刷層１０５を形成する。なお、コレステリック液晶含有インクとしては、市販のインクバインダー中に、ワッカーケミー社製のコレステリック高分子液晶顔料を分散させたものを利用する。
【００３９】
インク表示層１０３を形成したら、粘着剤をその露出した表面に塗布し、粘着層１０２を形成する。粘着層１０２の厚さは、例えば２０μｍとする。粘着層１０２を形成したら、その露出した表面にセパレータ１０１を貼り合わせる。こうして、セパレータ１０１上に粘着層１０２、印刷表示層１０３、コレステリック液晶層１０６、そして透明保護層１０８と積層された構造を得ることができる。この積層構造を適当に裁断すれば、粘着面にセパレータが貼り付けられた識別媒体１００を得ることができる。また、セパレータ１０１以外の積層構造を部分的に取り除くことで、セパレータ１０１上に複数の識別媒体１００が貼り付いた状態を得ることができる。
【００４０】
なお、上記の構造において、印刷層１０４によって文字を構成し、印刷層１０５を背景としてもよい。この場合、文字部分がカラーシフトを示し、背景が緑に固定された発色を示す。またこの場合、左回り円偏光を選択的に透過させる光学フィルタを介して観察した場合に、緑の背景の中に、文字部分が黒く抜けて見えることになる。
【００４１】
正面から見た場合におけるインク表示層単独の色と、コレステリック液晶層単独の色とが異なるように設定してもよい。例えば、図３の形態において、印刷層１０４に含まれるコレステリック液晶を、正面から印刷層１０４を単独で見た場合に、赤に見える右回り円偏光を反射する設定とする。また、印刷層１０５の通常インクの色も同様の赤色に設定する。この場合、識別媒体１００を透明保護層１０８側の正面から見ると、ホログラム１０６が金属光沢の橙色に見える。橙色に見えるのは、コレステリック液晶層１０６の緑とインク表示層１０３の赤が同時に見えるので、色彩的に両色が混合された色合いが観察されるからである。
【００４２】
この正面から見た状態においては、印刷層１０４と印刷層１０５とは区別できない（あるいは区別し難い）ので、インク表示層１０３の表示（「ＡＢＣ」のロゴデザイン）は、認識し難い。つまり、ホログラム１０７によって形成された星印が優先的に見える。
【００４３】
識別媒体１００を傾けてゆくと、コレステリック液晶層１０６とコレステリック液晶を含む印刷層１０４は、カラーシフトを示す。この時、通常インクによる印刷層１０５は、赤の発色のままであり、それ以外の部分がカラーシフトを示し、青みがかる方向に色彩が変化する。その結果、この色彩変化を背景として、印刷層１０５によって構成される「ＡＢＣ」のロゴデザインが、赤く際だって見える。
【００４４】
この形態においては、重なって見える２つのカラーシフトが異なるスペクトルを有しているので、視野角を変化していった場合における色彩変化の具合が単調なものではなく、複雑で特異なものとなる。このため、識別性がより高く、さらに偽造防止効果のより高い識別媒体を得ることができる。
【００４５】
例えば、図３の形態において、粘着層１０２に顔料を加えずに、光透過性とし、さらにこの光透過性の粘着層１０２とインク表示層１０３との間に感熱インク層を設けても良い。感熱インク層というのは、加熱や冷却によって、発色や光透過状態が変化するインク（感熱変化インク）の層ことである。なお感熱変化インクは、サーモクロミックインクともいう。
【００４６】
以下、光透過性の粘着層１０２とインク表示層１０３との間に、常温においては黒で、６０℃を超える温度になると、透明に変化する感熱インクを用いた感熱インク層を設ける場合の例を説明する。例えば、識別媒体１００を、所定のアプリケーションソフトウェアを格納した電子記憶媒体のパッケージに貼り付ける例を説明する。この場合、識別媒体１００を貼り付ける部分に製造番号等の固体識別番号が印字されているとする。
【００４７】
常温において、この態様は、図３の識別媒体１００と同じ機能を示す。そして、識別媒体１００を、６０℃を超える温度に加熱すると、図示しない感熱インク層が透明化し、下地の固体識別番号を認識することができる。この固体識別番号が見えている状態においては、ホログラム１０７や印刷層１０５による図柄もうっすらと見える。つまり、コレステリック液晶のカラーシフト効果も生かすことができる。
【００４８】
以下、具体例を説明する。図５は、識別媒体１００の他の見え具合を説明する概念図である。ここでは、上述した商品パッケージに識別媒体１００を貼り付けた状態における識別媒体１００の見え方の例を説明する。図５（Ａ）は、識別媒体１００を正面から観察した状態を示し、図５（Ｂ）は、識別媒体を傾けて観察した状態を示し、図５（Ｃ）は、加熱した状態において、偏光フィルタを介して識別媒体を観察した場合の状態を示す。
【００４９】
常温（例えば２０℃）において、識別媒体１００を正面から観察すると、図４の場合と同様に、ホログラム１０７が優先的に観察される（図５（Ａ））。この状態において、識別媒体１００を傾けて観察すると、印刷層１０４におけるカラーシフトが発現し、その色彩状態が変化し、ホログラム１０７に加えて、図柄１０９が浮かび上がって見えてくる（図５（Ｂ））。
【００５０】
次に識別媒体１００を７０℃に加熱し、その状態において、左回り円偏光を選択的に透過する偏光フィルタを介して、識別媒体１００を観察する場合を考える。この場合、コレステリック液晶層１０６と印刷層１０４の反射光が、偏光フィルタによって遮断され見えなくなる。また、７０℃に加熱されるので、図示しない感熱インク層は透明化する。この際、印刷層１０５の反射光と下地（物品の表面）からの反射光は、偏光フィルタを一部透過するので、それは認識することができる。つまり、図柄１０９と下地に印刷された個体識別番号１１０を認識することができる（図５（Ｃ））。またこの際、感熱変化インクとして可逆性のものを用いることもできる。この場合、加熱した状態から、識別媒体１００を常温に戻すと、感熱インク層が黒くなり、個体識別番号１１０が見えなくなる。
【００５１】
加熱すると透明になるサーモクロミック材料としては、光重合組成物と、脂肪族アミンまたは芳香族アミンを含む膜材料による可逆熱変色性組成物とを内包し、この膜材料が酸性物質によりイオン化しているマイクロカプセル顔料を利用することができる。このサーモクロミック材料は、構成材料を選択することで、室温で光吸収層として機能する黒または濃い色を示し、加熱すると透明になる性質のものを得ることができる。市販されているサーモクロミック材料としては、クロマティックテクノロジー（CHROMATIC TECHNOLOGIES, INC:米国）社のサーモクロミックインキ（商品名：DYNACOLOR）が知られている。
【００５２】
加熱する方法としては、ドライヤーによる方法（温風を当てる方法）、加熱ランプによる方法、加熱ヒータによる方法、摩擦による方法、高温液体に接触させる方法、相対的に高温な物に接触させる方法、適当な発熱体を用いて直接または間接に加熱する方法等が挙げられる。この中で摩擦による方法としては、例えば、手でこすり摩擦熱を発生させる方法が含まれる。
【００５３】
ここでは、感熱変化インクを用いる例を説明したが、光照射によって、色彩感や透過状態が変化するフォトクロミック材料を用いたインク（フォトクロミックインク）を用いても良い。この場合、例えば紫外線の照射によって、感熱変化インクの層が黒色から光透過性に変化する性質を得ることができる。フォトクロミック材料というのは、熱ではなく、光（例えば紫外線）の照射によって色彩が変化する性質を示す材料のことをいう。フォトクロミック材料は、光学機能の変化因子として光が利用される点を除けば、サーモクロミック材料とおなじである。フォトクロミック材料は、光照射によって光異性化を起こす材料を用いたものが一般的である。フォトクロミック材料としては、例えばアドベンゼン系染料、シッフ塩素系材料、０−ニトロベンゼン系材料を挙げることができる。市販されているフォトクロミック材料としては、クロマティックテクノロジー（CHROMATIC TECHNOLOGIES, INC:米国）社のフォトクロミックインキ（商品名：DYNACOLOR）が知られている。
【００５４】
図３に示す構成において、コレステリック液晶層１０６からの反射光の旋回方向と、印刷層１０４中に含まれるコレステリック液晶の反射光の旋回方向とを逆方向に設定してもよい。すなわち、上層のコレステリック液晶層からの反射光の旋回方向と、下層のコレステリック液晶含有インクによる印刷層からの反射光の旋回方向とを逆回りに設定してもよい。例えば、図３に示す構成において、コレステリック液晶層１０６からの反射光が赤の右回り円偏光になるように設定し、印刷層１０４に含まれるコレステリック液晶からの反射光が、赤の左回り円偏光になるように設定する。なお、通常インクによる印刷層１０５の色も赤に設定する。
【００５５】
図６は、この場合における識別媒体のさらに他の見え方を示す概念図である。この場合、正面から見ると、図６（Ａ）に示すように、金属光沢のホログラム１０７が目立って見える。これは、インク表示層１０３が全面赤に見えるために、印刷層１０４と１０５との区別がつき難く、図柄１０９が見え難いからである。
【００５６】
そして、識別媒体１００を傾けてゆくと、印刷層１０４がカラーシフトを発現し、印刷層１０４と１０５の区別がつき易くなり、図柄１０９が見えてくる（図６（Ｂ））。次に右回り円偏光を選択的に透過する偏光フィルタを介して識別媒体１００を観察すると、ホログラム１０７と図柄１０９とが観察される（図６（Ｃ））。これは、偏光フィルタが右回り円偏光を選択に透過するから、コレステリック液晶層１０６（図３参照）からの反射光を観察することができ、そのためホログラム１０７を観察することができるからである。さらに加えて、図柄１０９の背景からの反射光（印刷層１０４からの反射光）は、上記偏光フィルタを透過しないが、図柄１０９からの反射光（印刷層１０５からの反射光）は、上記フィルタを一部透過するので、図柄１０９が赤く認識できるからである。
【００５７】
次に左回り円偏光を選択的に透過する偏光フィルタを介して、識別媒体１００を観察すると、全面が赤く見え、ホログラム１０７と図柄１０９は見えなくなる。これは以下の理由による。まず、ホログラム１０７からの反射光である右回り円偏光は、偏光フィルタによって遮断されるので、認識できない。また、印刷層１０４に含まれるコレステリック液晶から反射される左回り円偏光は、光学フィルタを透過するが、この反射光の色彩は、通常インクによる印刷層１０５の色彩と同じであるので、印刷層１０５によって構成される図柄１０９は認識できない（あるいは認識し難い）。
【００５８】
しかしながら、上記の左回り円偏光を選択的に透過する光学フィルタを介した観察において、識別媒体１００を傾けて視野角を大きくしてゆくと、図柄１０９が浮かび上がってくる（図６（Ｄ））。これは以下の理由による。すなわちこの場合、コレステリック液晶層１０６からの反射光（右回り円偏光）は、光学フィルタによって遮断されるので、識別媒体１００を傾けていってもそのカラーシフトの具合は観察できない。よって、ホログラム１０７は観察できない。一方、上記光学フィルタ越しに観察した状態において、識別媒体１００を傾けると、印刷層１０４はカラーシフトを示し、印刷層１０５はカラーシフトを示さない。このため、印刷層１０４が黄色→緑→青と変化するのに対して、印刷層１０５は赤のままとなり、印刷層１０５によって構成される図柄１０９が目立つことになる。こうして、左回り円偏光を選択的に透過する光学フィルタを介した観察おいて、識別媒体１００を傾けて視野角を大きくしてゆくと、図柄１０９が浮かび上がって見えてくることになる（図６（Ｄ））。このように上層のコレステリック液晶層からの反射光の旋回方向と、下層のコレステリック液晶含有インクによる印刷層からの反射光の旋回方向とを逆回りに設定することにより、光学フィルタを介した観察において特異な識別性を得ることができる。
【００５９】
インク表示層に感熱変化インクやフォトクロミックインクを用いてもよい。例えば、印刷層１０４を構成するインクとして、感熱変化インクまたはフォトクロミックインクにコレステリック液晶を分散させたものを用いることができる。また、印刷層１０５を構成する通常インクの代わりに、感熱変化インクまたはフォトクロミックインクを用いることもできる。この場合、温度変化や光照射によって、印刷層１０５の透過率や色彩が変化する。そしてこの現象を組み合わせることで、さらに識別性および偽造防止性を高めることができる。
【００６０】
観察面側から、インク表示層、多層薄膜と積層した構造とすることもできる。以下、この構造の一例を説明する。図７は、識別媒体の他の一例を示す断面図である。図７に示す識別媒体７０１は、セパレータ（離型紙）１０１上に貼り付いた構造を有し、粘着層１０２、多層薄膜７０２、インク表示層１０３、および透明保護層１０８を備えている。なお、図３と同じ符号が指し示す部分は、図３に関して説明した内容と同じである。また、多層薄膜７０２にはホログラム７０３が形成されている。
【００６１】
この多層薄膜は、屈折率のことなる光透過性の薄膜を多層に積層した構造を有している。屈折率の異なる薄膜間の界面においては、入射光の一部が反射する。多層薄膜は、この界面を多数備えているので、各界面における反射光が干渉する。この多層薄膜を傾け、視野角を大きくしてゆくと、各界面からの反射光間における光路差が小さくなり、より短波長の光が干渉し強め合うことになる。このため、視野角を大きくしてゆくと、反射光としてより短波長の光が強く観察される。例えば、この多層薄膜を傾けてゆくと、赤→黄→緑→青と干渉光の色が短波長側に変化してゆく。つまり、上述したコレステリック液晶層と同じようなカラーシフト特性を発現する。
【００６２】
例えば、多層薄膜７０２は、異なる屈折率を有する２種類の光透過性の薄膜を交互に数十層以上積層した構造を有する。多層薄膜は、多層構造中の界面における反射光を利用するので、隣接する光透過性の薄膜間の屈折率が異なっていることが重要となる。多層薄膜の構成としては、３種類以上の異なる屈折率を有する光透過性の薄膜を順に積層したものを１ユニットとし、それを複数ユニット更に積層した構造等を挙げることもできる。
【００６３】
多層薄膜７０２の具体例としては、ポリエチレン−２，６−ナフタレートからなる第１の薄膜フィルムと、コポリエチレンテレフタレートからなる第２の薄膜フィルムとを交互に２０１層積層した構造（厚さ２０μｍ）を挙げることができる。なおホログラム７０３は、この多層構造に対して、型押し加工を施すことによって形成される。
【００６４】
コレステリック液晶の代わりに異なる屈折率を有する光透過性の薄膜を多層に積層した多層薄膜を採用することもできる。例えば、図３に示す構造おいて、コレステリック液晶層１０６の代わりに多層薄膜を採用したものを挙げることができる。なお、この構造において、多層薄膜にホログラム加工を施すことは好ましい。
【００６５】
図３に示す基本構造を備えた識別媒体を転写法により適当な物品に貼り付けることもできる。この場合、加熱により保持力が低下する剥離シート上に透明保護層１０８、コレステリック液晶層１０６、インク表示層１０３、および粘着層１０２の代わりとして加熱により接着力を発現する感熱接着層を積層する。そして、剥離層側からホットプレスにより、適当な物品の表面に感熱接着層を押し付けて加熱し、感熱接着層を適当な物品に貼り付ける。この際、剥離シートの保持力が低下し、透明保護層１０８がそこから剥離する。こうして、図３に示す基本構造を有する識別媒体を適当な物品に転写により固定することができる。
【００６６】
本発明を利用した識別媒体は、偏光フィルタを介した観察や偏光を照射しての観察によって識別する方法以外に画像認識により自動的に識別を行うこともできる。図８は、本発明を利用した識別媒体の真贋判定を行う装置の一例を示す概念図である。図８には、ステージ８０２、真贋判定対象物品８０３、可視光照射装置８０４、カメラ８０５、偏光フィルタ８０６、判定部８０７、メモリ８０８、および出力部８０９を備えた真贋判定装置８０１が示されている。
【００６７】
ステージ８０２は、真贋判定対象物品８０３が載置されるステージである。真贋判定対象物品８０３は、例えば図３に示す断面構造を有し、図４や図５に示す光学特性を示す識別媒体が取り付けられた身分証明書等である。偏光フィルタ８０６は、所定旋回方向の円偏光を選択的に透過する機能を有する。また、偏光フィルタ８０６は、光路から退避可能な構造となっている。判定部８０７は、カメラ８０５が撮像した画像を解析し、真贋判定を行う機能を有する。メモリ８０８は、判定部８０７において行われる判定処理において参照されるデータを格納する記憶手段である。出力部８０９は、判定部８０７で行われた判定処理の結果を表示する情報出力手段である。出力部８０９としては、ディスプレイや警報ブザーを採用することができる。
【００６８】
以下、真贋判定装置８０１の動作の一例を具体的に説明する。ここでは、図３に示す識別媒体を対象として真贋判定処理を行う例を説明する。まず前もって、メモリ８０８に、偏光フィルタ８０６を光路に挿入した状態においてカメラ８０５によって撮像される当該識別媒体の画像と、偏光フィルタを光路から退避させた状態においてカメラ８０５によって撮像される当該識別媒体の画像とを記憶させておく。
【００６９】
真贋判定に際しては、真贋判定対象物品８０３をステージ８０２上に載置する。そして、可視光照射装置８０４から白色光を照射し、真贋判定対象物品８０３上の図示しない識別媒体をカメラ８０５によって撮像する。この際、偏光フィルタ８０６を光路に挿入した場合と光路から退避させた場合の２つの状態において撮像を行う。
【００７０】
判定部８０７は、カメラ８０５が撮像した２つの画像とメモリ８０８に記憶されている対応する画像とを比較する。この比較の処理において、比較した画像が同じ、あるいは違いがあっても許容できるレベルの範囲内であれば、真贋判定を本物と判定する。そして、そうでなければ贋物と判定する。この判定結果は、出力部８０９に表示される。この形態において、出力部にカメラ８０５で撮像した画像を表示し、目視による確認を併用することもできる。
【産業上の利用可能性】
【００７１】
本発明は、真贋判定を目視や画像処理により行うことができる識別媒体に適用することができる。
【図１】
0004778445.tif 000002
【図２】
0004778445.tif 000003
【図３】
0004778445.tif 000004
【図４】
0004778445.tif 000005
【図５】
0004778445.tif 000006
【図６】
0004778445.tif 000007
【図７】
0004778445.tif 000008
【図８】
0004778445.tif 000009